(57)【要約】【課題】本発明は、周囲の環境ノイズを大きくすることなく、会話内容が外部に伝わり難くすることができる壁構造及び区分構造を提供することを課題とする。【解決手段】本発明に係る壁構造は、室内スペースを区分する壁構造であって、前面に前方から入射する音波を反射して収束させる１又は複数の集音形状を備えることを特徴とする。前記集音形状が前方から入射する音波を反射して三次元的に収束させる形状であるとよい。前記三次元集音形状が二次曲線回転面、この二次曲線回転面の一部、又はその一部の組み合わせであるとよい。前記二次曲線回転面としては、回転放物面又は回転楕円面が好ましい。本発明に係る区分構造は、室内を１又は複数のスペースに区分した区分構造であって、室内を区分する当該壁構造と、前記スペース内部に載置されるテーブルとを備える。前記テーブルが着席位置を誘導する誘導構造を有するとよい。【選択図】図１
2018076689.tif 000002
【特許請求の範囲】
【請求項１】
室内スペースを区分する壁構造であって、
前面に前方から入射する音波を反射して収束させる１又は複数の集音形状を備えることを特徴とする壁構造。
【請求項２】
前記集音形状が、前方から入射する音波を反射して三次元的に収束させる形状である壁構造。
【請求項３】
前記集音形状が二次曲線回転面、この二次曲線回転面の一部、又はその一部の組み合わせである請求項２に記載の壁構造。
【請求項４】
前記二次曲線回転面が回転放物面である請求項３に記載の壁構造。
【請求項５】
前記二次曲線回転面が回転楕円面である請求項３に記載の壁構造。
【請求項６】
室内を１又は複数のスペースに区分した区分構造であって、
前記室内を区分する請求項１から請求項５のいずれか１項に記載の壁構造と、
前記スペース内部に載置されるテーブルと
を備える区分構造。
【請求項７】
前記テーブルが着席位置を誘導する誘導構造を有する請求項６に記載の区分構造。
【発明の詳細な説明】
【技術分野】
【０００１】
本発明は、壁構造及び区分構造に関する。
【背景技術】
【０００２】
室内に間仕切りを設置して会議や商談等に用いる打ち合わせスペースが形成されている。企業秘密や個人情報等について話し合う場合には、会話内容が打ち合わせスペースの外部に漏れないようにすることが望まれる。そこで、間仕切りパネルにスピーカーを設け、マスキング音を放音することによって、打ち合わせスペース内での会話内容が外部で聞き取れないようにする技術が実用化されている（特開２０１２−８２５８２号公報参照）。
【０００３】
しかしながら、マスキング音を用いる場合、周囲の環境ノイズが大きくなるという問題が生じる。つまり複数の商談スペースを隣接して設ける場合、隣の打ち合わせスペースの会話を聞き取れなくするためのマスキング音があるため、打ち合わせスペース内で比較的大きな声で会話する必要が生じるおそれがある。
【先行技術文献】
【特許文献】
【０００４】
【特許文献１】特開２０１２−８２５８２号公報
【発明の概要】
【発明が解決しようとする課題】
【０００５】
前記不都合に鑑みて、本発明は、周囲の環境ノイズを大きくすることなく、会話内容が外部に伝わり難くすることができる壁構造及び区分構造を提供することを課題とする。
【課題を解決するための手段】
【０００６】
前記課題を解決するためになされた発明は、室内スペースを区分する壁構造であって、前面に前方から入射する音波を反射して収束させる１又は複数の集音形状を備えることを特徴とする壁構造である。
【０００７】
前記集音形状が二次曲線回転面、この二次曲線回転面の一部、又はその一部の組み合わせであってもよい。
【０００８】
前記二次曲線回転面が回転放物面であってもよい。
【０００９】
前記二次曲線回転面が回転楕円面であってもよい。
【００１０】
また、前記課題を解決するためになされた別の発明は、室内を１又は複数のスペースに区分した区分構造であって、前記室内を区分する当該壁構造と、前記スペース内部に載置されるテーブルとを備える区分構造である。
【００１１】
前記テーブルが着席位置を誘導する誘導構造を有するとよい。
【００１２】
なお、「壁」とは、直立した壁に限られず、例えば天井、床等、空間を区分する面を有するものを広く含む概念である。「三次元的に収束させる形状」とは、同一の点から入射する音波に対して表面の２以上の点での反射波が同一の点に到達し、この２以上の点の反射波の軌跡が２以上の平面状に描かれる形状を意味する。また、「二次曲線回転面」、「回転放物面」及び「回転楕円面」は、複数の平面や球面で近似される面であってもよい。また、「二次曲線回転面の一部」とは、中心軸周りの全周にわたって存在していないものを意味する。また、「着席位置」とは、話者が着座する位置に限られず、立って会話する場合に話者が立つ位置を含む。
【発明の効果】
【００１３】
本発明の壁構造及び区分構造は、当該壁構造が前方から入射する音波を反射して収束させる集音形状を有することによって、当該壁構造の前では比較的小さい声で会話しても、互いの声を比較的容易に聞き取ることができる。このため、話者の声が自然と小さくなり、外部に声が漏れて会話内容が第三者に聞き取られることが防止される。
【図面の簡単な説明】
【００１４】
【図１】本発明の一実施形態の区分構造により形成される打ち合わせスペースの模式的平面図である。
【図２】図１の商談スペースの模式的Ａ−Ａ線断面図である。
【図３】本発明の図１とは異なる区分構造により形成される打ち合わせスペースの模式的平面図である。
【図４】図３の商談スペースの模式的Ｂ−Ｂ線断面図である。
【図５】本発明の図１及び図３とは異なる区分構造により形成される打ち合わせスペースの模式的平面図である。
【図６】本発明の図１、図３及び図５とは異なる壁構造の模式的断面図である。
【発明を実施するための形態】
【００１５】
以下、適宜図面を参照しつつ、本発明の実施の形態を詳説する。
【００１６】
［第一実施形態］
図１及び図２に示す本発明の第一実施形態に係る区分構造は、間仕切り１と、テーブル２とを含む住器セットによって形成される。当該区分構造は、図示するように床面に配置することによって、打ち合わせスペースを形成する。具体的には、間仕切り１によってテーブル２の近傍の空間を周囲の空間と区分することによって、室内に打ち合わせスペースが画定される。
【００１７】
本実施形態の区分構造によって形成される打ち合わせスペースは、図１に示すように、２人の話者Ｐがテーブル２を挟んで一対一で会話するために特に好適に用いられるが、より多くの話者Ｐによる会話や、遠隔会議システムを使用するためにも使用することができる。
【００１８】
＜間仕切り＞
間仕切り１は、本発明の別の実施形態に係る壁構造を有する住設材料３を備える。間仕切り１は、住設材料３を一定の高さに保持すると共に、住設材料３より下方を仕切る腰壁部４を有する構成とすることができる。
【００１９】
（住設材料）
住設材料３の壁構造は、前面（テーブル２側の面）に、前方から入射する音波を反射して収束させる１又は複数の集音形状を備える。この集音形状は、前方から入射する音波を反射して三次元的に収束させる集音形状であることが好ましい。
【００２０】
このように、当該区分構造は、当該壁構造を備える住設材料３を有することによって、打ち合わせスペースで会話する話者Ｐが相手の声を聞き取りやすくなり、自然と声が小さくなる。このため、打ち合わせスペースの周囲の環境ノイズを大きくすることなく、話者Ｐの声が打ち合わせスペースの外部に漏れて会話内容が第三者に聞き取られることが防止される。
【００２１】
当該壁構造の三次元集音形状としては、二次曲線回転面、この二次曲線回転面の一部、又はその一部の組み合わせが好適に用いられる。この二次曲線回転面は、複数の平面を並べて配置することによって近似したものであってもよい。当該壁構造の三次元集音形状が複数の二次曲線回転面を含む場合、複数の二次曲線回転面が同軸であることが好ましい。当該壁構造の三次元集音形状に採用される二次曲線回転面の回転軸は、打ち合わせスペースにおいて想定される話者Ｐの頭部を通る水平な軸であることが好ましい。また、当該壁構造の三次元集音形状の反射波が収束する焦点位置としては、打ち合わせスペースにおいて想定される話者Ｐの頭部近傍であることが好ましい。
【００２２】
当該壁構造の三次元集音形状の焦点位置に対応する音源位置としては、入射波が平行となる無限遠とすることができる。このとき、当該壁構造の理想的な三次元集音形状は、二次曲線回転面の一種である回転放物面となる。このように、当該壁構造の三次元集音形状が回転放物面であることによって、テーブル２反対側に当該壁構造に対向して複数の話者Ｐが存在する場合に、これら複数の話者Ｐの声を当該壁構造に背を向けて位置する話者Ｐに効率よく収束させることで、当該壁構造に背を向けて位置する話者Ｐが会話を聞き取りやすくなる。
【００２３】
また、当該壁構造の三次元集音形状の焦点位置に対応する音源位置は、テーブル２反対側に当該壁構造に対向して位置する話者Ｐの想定される頭部近傍としてもよい。このとき、当該壁構造の理想的な三次元集音形状は、二次曲線回転面の一種である回転楕円面となる。このように、当該壁構造の三次元集音形状が回転楕円面であることによって、２人の話者Ｐがテーブル２を挟んで会話する場合に、一方の話者Ｐの声を他方の話者Ｐに効率よく収束させることができる。
【００２４】
＜テーブル＞
テーブル２は、話者Ｐの着席位置を誘導する誘導構造を有する。図１の区分構造における誘導構造は、天板に人の胴が入り込むよう形成された切欠き４である。このように、テーブル２が誘導構造を有することによって、当該壁構造によって音が収束する位置に話者Ｐを誘導し、会話が打ち合わせスペースの外部に漏れることをより確実に防止する。
【００２５】
なお、「人の胴が入り込むよう形成された」とは、実際に話者Ｐが切欠き５の中に入り込んで使用するものに限定されず、話者Ｐがテーブル２の天板の側縁から適当な間隔を空けて着座するために切欠き５に正対するような形状を含む。
【００２６】
［第二実施形態］
図３及び図４に示す本発明の第二実施形態に係る区分構造は、第１間仕切り１１ａ及び第２間仕切り１１ｂと、テーブル１２とを含む。当該区分構造において、テーブル１２は、第２間仕切り１１に取り付けられている。当該区分構造は、図示するように床面に配置することによって、室内に打ち合わせスペースを形成する。
【００２７】
本実施形態の区分構造によって形成される打ち合わせスペースは、図３に示すように、２人の話者Ｐが遠隔会議システムを使用して、遠隔地の話者Ｐと打ち合わせを行うために特に好適に用いられる。
【００２８】
＜第１間仕切り＞
第１間仕切り１１ａは、それ自体が本発明のまた別の実施形態である２つの当該壁構造を有する住設材料１３ａを備える。当該第１間仕切り１１ａは、２つの住設材料１３ａを一定の高さに並んで保持すると共に、住設材料１３ａより下方を仕切る腰壁部１４ａを有する構成とすることができる。なお、２つの住設材料１３ａは一体に形成されていてもよい。
【００２９】
（住設材料）
住設材料１３ａの壁構造は、前面（テーブル１２側の面）に前方から入射する音波を反射して収束させる集音形状を備える。この集音形状は、前方から入射する音波を反射して、テーブル１２の前に並んで着席する２人の話者Ｐの頭部にそれぞれ反射波を三次元的に収束させる三次元集音形状とすることができる。この当該壁構造の三次元集音形状としては、図１の間仕切り１における壁構造の三次元集音形状と同様とすることができるが、三次元集音形状を構成する二次曲線回転面の回転軸は、話者Ｐの頭部近傍及び遠隔会議端末Ｔ近傍を通るよう傾斜してもよい。
【００３０】
＜第２間仕切り＞
第２間仕切り１１ｂは、それ自体が本発明のまた別の実施形態である壁構造を有する住設材料１３ｂを備える。当該第２間仕切り１１ｂは、住設材料１３ｂを一定の高さに保持すると共に、住設材料１３ｂより下方を仕切る腰壁部１４ｂを有する構成とすることができる。
【００３１】
（住設材料）
住設材料１３ｂの壁構造は、前面（テーブル１２側の面）に前方から入射する音波を反射して収束させる集音形状を備える。この集音形状は、前方から入射する音波を反射して、テーブル１２上に配置され、スピーカー及びマイクを有する遠隔会議端末Ｔに反射波を三次元的に収束させる三次元集音形状とすることが好ましい。この第２間仕切り１１ｂの住設材料１３ｂは、テーブル１２よりも上側にのみ配置されてもよい。
【００３２】
この住設材料１３ｂの壁構造における三次元集音形状としては、図１の住設材料３の壁構造における三次元集音形状と同様とすることができる。なお、住設材料１３ｂの壁構造は、三次元集音形状の回転軸が遠隔会議端末Ｔ近傍及び２人の話者Ｐの頭部の中間点近傍を通るよう傾斜していてもよい。
【００３３】
当該区分構造は、当該壁構造を有する第１間仕切り１１ａ及び第２間仕切り１１ｂを備えることによって、遠隔会議端末Ｔのスピーカーの音量を小さくしても、話者Ｐがスピーカーの音声を聞き取りやすい。このため当該区分構造を用いることで、遠隔会議端末Ｔのスピーカーの音量を小さくして、打ち合わせスペースの外部に遠隔会議端末Ｔのスピーカーの音声が漏れ出ることを防止できる。
【００３４】
＜テーブル＞
テーブル１２は、話者Ｐの着席位置を誘導する誘導構造である２つの切欠き１５を有する。図３のテーブル１２の切欠き１５は、図１のテーブル２の切欠き５と同様とすることができる。
【００３５】
また、テーブル１２は、遠隔会議端末Ｔを配置すべき位置を示す位置決め構造１６を有する。この位置決め構造１６としては、例えば着色によるマーキング、台座の設置等が適用できる。
【００３６】
［第三実施形態］
図５に示す本発明の第三実施形態に係る区分構造は、１対の第１間仕切り２１ａ及び第２間仕切り２１ｂと、テーブル２２とを含む。１対の第１間仕切り２１ａは互いに対向するよう配置され、第２間仕切り２１ｂは１対の第１間仕切り２１ａの側方に配置される。当該区分構造は、図示するように床面に配置することによって、室内に打ち合わせスペースを形成する。
【００３７】
本実施形態の区分構造によって形成される打ち合わせスペースは、２人の話者Ｐが遠隔会議システムを使用して、遠隔地の話者Ｐと打ち合わせを行うために特に好適に用いられる。本実施形態の区分構造では、２人の話者Ｐがテーブルを挟んで向かい合うよう着席する。
【００３８】
＜第１間仕切り＞
第１間仕切り２１ａは、それ自体が本発明のまた別の実施形態である壁構造をそれぞれ備える２つの住設材料２３ａを有する。当該第１間仕切り２１ａは、２つの住設材料２３ａを一定の高さに並んで保持すると共に、住設材料２３ａより下方を仕切る腰壁部２４ａを有する構成とすることができる。
【００３９】
（住設材料）
住設材料２３ａの壁構造は、前面（テーブル２２側の面）に前方から入射する音波を反射して収束させる集音形状を備える。この集音形状は、前方から入射する音波を反射して、テーブル２２の前に着席する話者Ｐの頭部にそれぞれ反射波を三次元的に収束させる三次元集音形状とされることが好ましい。この住設材料２３ａの壁構造における三次元集音形状としては、図１の住設材料３の壁構造における三次元集音形状と同様とすることができる。
【００４０】
＜第２間仕切り＞
第２間仕切り２１ｂは、それ自体が本発明のまた別の実施形態である壁構造を備える住設材料２３ｂを有する。当該第２間仕切り２１ｂは、住設材料１３ｂを一定の高さに保持すると共に、住設材料２３ｂより下方を仕切る腰壁部２４ｂを有する構成とすることができる。
【００４１】
（住設材料）
住設材料２３ｂの壁構造は、前面（テーブル２２側の面）に前方から入射する音波を反射して収束させる集音形状を有す。この集音形状としては、前方から入射する音波を反射して、テーブル２２上に配置される遠隔会議端末Ｔに反射波を三次元的に収束させる三次元集音形状を有することができる。
【００４２】
＜テーブル＞
テーブル２２は、話者Ｐの着席位置を誘導する誘導構造である２つの切欠き２５を有する。図５のテーブル１２の切欠き２５は、図１のテーブル２の切欠き５と同様とすることができる。
【００４３】
また、テーブル２２は、遠隔会議端末Ｔを配置すべき位置を示す位置決め構造２６を有する。この位置決め構造２６としては、例えば着色によるマーキング、台座の設置等が適用できる。
【００４４】
［第四実施形態］
図６に、本発明のさらに異なる実施形態に係る壁構造を有する住設材料３３を示す。この当該住設材料３３の壁構造は、前方から入射する音波を反射して収束させる複数の集音形状を備える。本実施形態の集音形状は、前方から入射する音波を反射して三次元的に収束させる複数の二次曲線回転面から形成される三次元集音形状である。
【００４５】
具体的には、当該壁構造の三次元集音形状は、焦点位置が等しく、頂点位置が異なる複数の二次曲線回転面が、同心円状に配置されている。これら複数の二次曲線回転面は、焦点を頂点とする円錐面によって接続されている。
【００４６】
このように、当該壁構造は、集音形状が複数の二次曲線回転面を有することによって、全体の厚さを小さくすることができ、打ち合わせスペース間にデッドスペースが形成されにくいため、室内空間を有効に利用することができる。
【００４７】
［その他の実施形態］
前記実施形態は、本発明の構成を限定するものではない。従って、前記実施形態は、本明細書の記載及び技術常識に基づいて前記実施形態各部の構成要素の省略、置換又は追加が可能であり、それらは全て本発明の範囲に属するものと解釈されるべきである。
【００４８】
当該区分構造は、４以上の間仕切りを備えるものであってもよく、複数のテーブルを備えてもよい。
【００４９】
当該区分構造におけるテーブルの着席位置の誘導構造やスピーカーの位置決め構造の数は、話者及び遠隔会議端末の数に合わせて任意に増減することができる。また、当該区分構造におけるテーブルは、着席位置の誘導構造やスピーカーの位置決め構造を有しないものであってもよい。
【００５０】
当該区分構造におけるテーブルの誘導構造は、天板の切欠きに限定されず、例えば天板の下に椅子及び話者の脚を入れることが可能な領域を限定するような側板、テーブル脚等の構造であってもよい。
【００５１】
間仕切りは、３以上の壁構造を有してもよい。
【００５２】
当該壁構造は、建物の一部をなす固定壁や天井を形成するために使用してもよい。これにより、天井からの反射波が間仕切りの上方の空間から打ち合わせスペースの外部に漏れ出ることを抑制することができる。
【００５３】
当該壁構造は、複数の平面又は比較的平坦な曲面を含み、各面の法線が１又は複数の点で交差するよう各面を傾斜させたものであってもよい。
【産業上の利用可能性】
【００５４】
本発明に係る壁構造及び区分構造は、室内空間を分割して複数の打ち合わせスペースを形成するために特に好適に利用できる。
【符号の説明】
【００５５】
１，１１ａ，１１ｂ，２１ａ，２１ｂ  間仕切り
２，１２，２２  テーブル
３，１３ａ，１３ｂ，２３ａ，２３ｂ，３３  壁構造
４，１４ａ，１４ｂ，２４ａ，２４ｂ  腰壁部
５，１５，２５  切欠き
１６，２６  位置決め構造
Ｐ  話者
Ｔ  遠隔会議端末
【図１】
2018076689.tif 000003
【図２】
2018076689.tif 000004
【図３】
2018076689.tif 000005
【図４】
2018076689.tif 000006
【図５】
2018076689.tif 000007
【図６】
2018076689.tif 000008